【手続補正書】
【提出日】令和2年4月23日(2020.4.23)
【手続補正１】
【補正対象書類名】特許請求の範囲
【補正対象項目名】全文
【補正方法】変更
【補正の内容】
【特許請求の範囲】
【請求項１】
現実空間を第１の撮像手段で撮像した第１の画像データ、第２の画像データと、第２の撮像手段で撮像した第３の画像データ、第４の画像データと、を取得する取得手段と、
前記取得した第１から第４の画像データそれぞれに対して、前記第１から第４の画像データ同士の同期をとるための情報を、各画像データを構成する画素のうち少なくとも１つの画素のデータに埋め込む埋め込み手段と、
前記第１から第４の画像データそれぞれに埋め込まれた同期をとるための情報に基づいて、前記第１から第４の画像データ同士の同期をとる同期手段と、
前記同期のとられた第１の画像データと第３の画像データとに基づいて前記第２の画像データおよび第４の画像データに重畳させるＣＧの位置を算出する算出手段と、
前記算出された位置に基づいて、前記第２の画像データおよび第４の画像データにＣＧを重畳させて第１の合成画像データおよび第２の合成画像データを生成する生成手段と、前記生成された第１の合成画像データおよび第２の合成画像データを第１の表示部と第２の表示部に表示する表示手段と、を有し、
前記埋め込み手段は、前記第１の合成画像データおよび第２の合成画像データが前記第１の表示部および第２の表示部に表示される際に相対的に視認性の低い領域に含まれる画素に対応する前記第１から第４の画像データ上の画素に前記同期を取るための情報を埋め込むことを特徴とする、
画像表示システム。
【請求項２】
前記第１から第４の画像データそれぞれについて、輝度信号と色差信号とを生成する色変換手段を更に有し、
前記埋め込み手段は、前記第１から第４の画像データの前記少なくとも１つの画素について、前記色差信号のデータと前記同期を取るための情報とを置換することを特徴とする、
請求項１に記載の画像表示システム。
【請求項３】
前記埋め込み手段は、前記第１から第４の画像データそれぞれの複数の画素に、前記同期を取るための情報を埋め込むことを特徴とする、
請求項１に記載の画像表示システム。
【請求項４】
前記同期を取るための情報として、時刻に関する情報を生成する生成手段を更に有し、前記生成手段は、前記取得手段が前記第１から第４の画像データを取得したタイミングに係る時刻に関する情報を生成することを特徴とする、
請求項１〜３のいずれかに記載の画像表示システム。
【請求項５】
前記取得した第１から第４の画像データに対して画像処理を実行する画像処理手段を更に有し、
前記画像処理手段は、前記画像処理の実行に伴う遅延に応じて、前記同期を取るための情報を遅延させる遅延処理を実行し、
前記埋め込み手段は、前記遅延処理された同期を取るための情報を埋め込むことを特徴とする、
請求項１〜４のいずれかに記載の画像表示システム。
【請求項６】
前記表示手段は、ユーザの頭部に装着して使用される画像表示装置に設けられていることを特徴とする、
請求項１〜５のいずれかに記載の画像表示システム。
【請求項７】
前記第１の合成画像データおよび第２の合成画像データを前記第１の表示部および第２の表示部に表示するための光学系を更に有し、
前記埋め込み手段は、前記相対的に視認性の低い領域として前記光学系の角部が切断された領域を通過して表示される領域に含まれる画素に対応する前記第１から第４の画像データ上の画素に前記同期を取るための情報を埋め込むことを特徴とする、
請求項１〜６のいずれかに記載の画像表示システム。
【請求項８】
前記光学系が切断された角部は、ユーザの鼻と干渉する部分であることを特徴とする、
請求項７に記載の画像表示システム。
【請求項９】
前記第１の合成画像データおよび第２の合成画像データにグラデーション処理を実行するグラデーション処理手段を更に有し、
前記埋め込み手段は、前記相対的に視認性の低い領域として前記グラデーション処理が実行された領域に含まれる画素に対応する前記第１から第４の画像データ上の画素に前記同期を取るための情報を埋め込むことを特徴とする、
請求項１〜５のいずれかに記載の画像表示システム。
【請求項１０】
前記表示手段は、前記グラデーション処理が実行された第１の合成画像データおよび第２の合成画像データの一部を互いに重複させて表示することを特徴とする、
請求項９に記載の画像表示システム。
【請求項１１】
前記第１の合成画像データおよび第２の合成画像データを前記第１の表示部および第２の表示部に表示する際の光学歪みを補正する補正手段を更に有し、
前記埋め込み手段は、前記相対的に視認性の低い領域として前記光学歪みの補正によって表示領域に含まれなくなる領域に含まれる画素に対応する前記第１から第４の画像データ上の画素に前記同期を取るための情報を埋め込むことを特徴とする、
請求項１〜５のいずれかに記載の画像表示システム。
【請求項１２】
前記第１の撮像手段はユーザの左眼に対応した撮像手段であり、前記第２の撮像手段はユーザの右眼に対応した撮像手段であることを特徴とする、
請求項１〜１１のいずれかに記載の画像表示システム。
【請求項１３】
前記第１の撮像手段および前記第２の撮像手段は、前記表示手段が備えられている画像表示装置に設けられていることを特徴とする、
請求項１２に記載の画像表示システム。
【請求項１４】
前記埋め込み手段は、前記少なくとも１つの画素のデータの最下位ビットのデータと、前記同期をとるための情報とを、置換することを特徴とする、
請求項１に記載の画像表示システム。
【請求項１５】
前記同期手段は、前記第１から第４の画像データそれぞれに埋め込まれた同期をとるための情報を、前記第１から第４の画像データから分離する分離手段を有することを特徴とする、
請求項１に記載の画像表示システム。
【請求項１６】
現実空間を第１の撮像手段で撮像した第１の画像データ、第２の画像データと、第２の撮像手段で撮像した第３の画像データ、第４の画像データと、を取得する取得手段と、
前記取得した第１から第４の画像データそれぞれに対して、前記第１から第４の画像データ同士の同期をとるための情報を、各画像データを構成する画素のうち少なくとも１つの画素のデータに埋め込む埋め込み手段と、
前記同期をとるための情報が埋め込まれた第１から第４の画像データを画像処理装置に送信する送信手段と、
前記画像処理装置について、前記第１から第４の画像データそれぞれに埋め込まれた同期をとるための情報に基づいて、生成された第１の合成画像データおよび第２の合成画像データを受信する受信手段と、
前記受信された第１の合成画像データおよび第２の合成画像データを第１の表示部と第２の表示部に表示する表示手段と、を有し、
前記埋め込み手段は、前記第１の合成画像データおよび第２の合成画像データが前記第１の表示部および第２の表示部に表示される際に相対的に視認性の低い領域に含まれる画素に対応する前記第１から第４の画像データ上の画素に前記同期を取るための情報を埋め込むことを特徴とする、
画像表示装置。
【請求項１７】
前記埋め込み手段は、前記第１から第４の画像データそれぞれの複数の画素に、前記同期を取るための情報を埋め込むことを特徴とする、
請求項１６に記載の画像表示装置。
【請求項１８】
前記同期を取るための情報として、時刻に関する情報を生成する生成手段を更に有し、前記生成手段は、前記取得手段が前記第１から第４の画像データを取得したタイミングに係る時刻に関する情報を生成することを特徴とする、
請求項１６または１７に記載の画像表示装置。
【請求項１９】
現実空間を第１の撮像手段で撮像した第１の画像データ、第２の画像データと、第２の撮像手段で撮像した第３の画像データ、第４の画像データと、を取得するステップと、
前記取得した第１から第４の画像データそれぞれに対して、前記第１から第４の画像データ同士の同期をとるための情報を、各画像データを構成する画素のうち少なくとも１つの画素のデータに埋め込むステップと、
前記第１から第４の画像データそれぞれに埋め込まれた同期をとるための情報に基づいて、前記第１から第４の画像データ同士の同期をとるステップと、
前記同期のとられた第１の画像データと第３の画像データとに基づいて前記第２の画像データおよび第４の画像データに重畳させるＣＧの位置を算出するステップと、
前記算出された位置に基づいて、前記第２の画像データおよび第４の画像データにＣＧを重畳させて第１の合成画像データおよび第２の合成画像データを生成するステップと、前記生成された第１の合成画像データおよび第２の合成画像データを第１の表示部と第２の表示部に表示するステップと、を有し、
前記埋め込むステップでは、前記第１の合成画像データおよび第２の合成画像データが前記第１の表示部および第２の表示部に表示される際に相対的に視認性の低い領域に含まれる画素に対応する前記第１から第４の画像データ上の画素に前記同期を取るための情報を埋め込むことを特徴とする、
画像表示方法。